(57)【特許請求の範囲】
【請求項１】
ペンのように小型小径の金属製丸パイプ（１）に鈎軸導入部、開口部、鍔を備え、該パイプ内にはバイトロッド（２）をバネとともに挿入設定し、止めネジで一体に構成した釣鈎外し器具にあって、前記導入部の後方に擂鉢状の導入孔を形成して、前記バイトロッドは該導入口より太径で先端部を該導入孔に合った円錐形状とし、前記鈎軸導入部の前部周縁部（１ｃ）の形態を、該鈎軸導入部に設けられた糸通し溝（１ａ）及び該糸通し溝の対面方向（ｙ−ｙ′）を凸部に、これと交差する方向（ｘ−ｘ′）を凹部とした曲線縁とすると共に、上記糸通し溝の両側先端部に突起部（１ｂ）を形成して、前記凹部に鈎のアゴ部を引っ掛け、前記鈎軸導入部に導入された鈎軸が前記開口部に抜け出た処を前記鍔及びバネを利用した指操作によって該バイトロッドの先端部を押し込み、該先端部と該導入孔との接合面に該鈎軸を咬込ませるように挟む操作により、該鈎軸の中間部を線状に掴んで、常に該バイトロッドに対し斜め角度で確り固定することで、ペンチのように魚の口中の鈎を抜き取る事が出来るようにしたことを特徴とする釣鈎外し器具。
【発明の詳細な説明】
【技術分野】
【０００１】本発明は、魚釣りの際に魚に呑み込まれた鈎を取り外す器具に関するものである。
【背景技術】
【０００２】ロッドタイプの鈎外し器具でハリスに沿って誘導し魚の口中に掛かっている鈎部に器具を当て、押して外す構造を持つ考案が提示されている。【０００３】
【特許文献１】特開２００５−１８５１８５公報
【実用新案文献１】
登録実用新案第３１２９５５６号公報
【発明の開示】
【発明が解決しようとする課題】
【０００４】実用新案文献１の案は器具操作時に於けるハリスや鈎外れを防止できる構造の案ではあるが、釣行中鞘管が血糊など魚の粘液で固着するなどの問題がある。また特許文献１のような、一般に棒状タイプの鈎外し器は魚の口中に掛かっている鈎の顎部に器具を当て、押して外す構造になっている。【０００５】従って鈎を器具の先端部に当てて支える力はハリスの張力だけである、しかし鈎の返しが強く、軟骨部等に深く喰い込でいる場合には、ハリスが切れたり、鈎が折れたり、曲がって導入口より引出される事が多く、又外れても器具離れしているため取り出す際に再び魚の口中に引っ掛かる等の問題が生ずる。渓流釣りの場合には特に鈎もハリスも細いので上記頻度が高く大きな課題となっている。【０００６】以上の問題は針がペンチのようにしっかり掴まれていないために生じている。【０００７】また、魚の口中深く掛かっている見えない鈎の顎部（６ｂ）に器具の先端部を適切に誘導設定するのは難しく、針のチモト部が掛かってハリスが切れたり、また導入後に糸通し溝から外れたりする事も多い。【０００８】本発明はペンのように小さく操作が簡単な器具で、魚の口の奥深くに刺さった見えない鈎の顎部に的確に器具先端部を誘導して押し当てる設定が出来、更にペンチ以上に確り鈎を掴み、渓流釣りなどの細い鈎やハリスでも、器具から引き出されたり、折れたり、切れたりする事無く、確実に抜き外し、取り出す事が出来る釣鈎外し器具の提供を目的とする。
【課題を解決するための手段】
【０００９】器具はペンのように小型小径の金属製丸パイプ（１）に鈎軸導入部（３）、開口部（１ｄ）、鍔（４）を備え、該パイプ内に金属あるいは硬質プラスチック製のバイトロッド（２）をバネとともに挿入し、鈎軸が導入出来る位置（ｔｇ）に設定し止めネジで一体に構成したものである。【００１０】前記鈎軸導入部に設けられた糸通し溝（１ａ）及び該糸通し溝の対面方向（ｙ−ｙ′）を凸部に、これと交差する方向（ｘ−ｘ′）を凹部とした曲線縁とすると共に、上記糸通し溝の両側先端部に突起部（１ｂ）を形成して、ハリスに該凹部を当てながら釣鈎外し器具の円滑な誘導が出来、且つ、前記鈎軸導入部に鈎軸が入った状態から更に鈎外し器具を押し込む過程で、鈎のアゴ部が山形の斜面を滑って其の侭または回転して、どちらかの凹部に引っ掛かる、と同時に鈎軸が開口部の左右方向に抜け出てバイトロッドのロッド軸に対して常に斜め角度に設定され、バイトロッドを押した時に擦り動き鈎の向きが回転しても該突起部に当たり鈎が上記糸通し溝から外れないようにしたことを特徴とする前記鈎軸導入部の前部周縁部（１ｃ）の形態を有し、該鈎軸導入部の後方に擂鉢状の導入孔を形成して、前記バイトロッドは該導入口より太径で先端部を該導入孔に合った円錐形状とし、前記鈎軸導入部に導入された鈎軸が前記開口部に抜け出た処を前記鍔及びバネを利用した指操作によって該バイトロッドの先端部を押し込み、該先端部と該導入孔との接合面に該鈎軸を咬込ませるように挟む操作により、該鈎軸の中間部を線状に掴んで、常に該バイトロッドに対し斜め角度で確り固定することで、ペンチのように魚の口中の鈎を抜き取る事が出来るようにしたことを特徴とする釣鈎外し器具の提供。
【発明の効果】
【００１１】ペンのように小さく簡単な器具で、魚の口の奥深く、軟骨などに刺さった見えない鈎でも、ペンチ以上に確り掴み、素早く簡単確実に外すことが出来る。鈎を直接掴んで押し外すのでハリスに張力が掛からず、渓流釣りなどの細い鈎やハリスでも、器具から引き出されたり、折れたり、切れたりせずに外す事が出来る【００１２】操作が簡単で素早く的確に外せるので、釣りの能率が上がると共に、釣魚のリリースもより可能となり資源保護にも役立つ。【００１３】同じ原理で様々な加工形態や構成が可能であり、また同型でも材質や長さ、径を変える事により各種シリーズが提供出来、多様な釣魚や釣鈎に対応可能となる。
【発明を実施するための最良の形態】
【００１４】以下、本発明の最良の実施形態を図面に基づき説明する【００１５】器具はペンのように小型の金属製パイプ（１）に導入部、開口部、鍔を設け、金属あるいは硬質プラスチック製のバイトロッド（２）を上記パイプ内にバネと共に挿入設定して、止めネジで一体型に構成する。【００１６】上記導入部（３）は真鍮製丸棒等を加工成形した貫通孔（３ａ）を持つ無垢材を上記パイプ先端部内に嵌め込みロウ付けにより合体させ糸通し溝１（１ａ）を切った構造部分であり、内面形状は前方の漏斗状入口（３ｂ）、後方の擂鉢状出口（３ｃ）を接合させ山形の断面を形成する円形貫通孔となり、該漏斗状入口の周縁部（１ｃ）は糸通し溝側及びその対面方向（ｙ−ｙ′）が凸形に、交差する方向（ｘ−ｘ′）が凹んだ形の曲線状に形成され、前記糸通し溝の両側先端部が突起状になった形態を特徴とする。【００１７】開口部（１ｄ）は導入口後部に連なる楕円状の鈎軸操作部となり、前方がパイプの中ほどまで開削され、後方の止めネジ用スリットと一体の開口を形成する。【００１８】上記指掛け用の鍔（２ｃ）はストラップ用の穴を開けパイプと同材で製作しパイプ後部に  ロウ付けする。【００１９】上記バイトロッドは金属または硬質プラスチック製の丸棒を使用し、先端部（２ａ）は上記導入部の擂鉢状出口（３ｃ）と接触勾配をぴったり合致させた円錐形となり、上記パイプの内部に挿入設定時、周囲に針軸が入れる適度な隙間が取れるように先細そとなる楕円形状の断面に加工され、前部には止めネジ穴が後部にはバネ止めを兼ねた押し釦が付く。【００２０】以上の構造を特徴とするバイトロッド式針外し器具により、下記一連の針外し操作が素早く完結出来る操作原理を以下説明する。【００２１】釣り上げた魚を、ハリスを張った状態で引き寄せ、糸通し溝（１ａ）にハリスを通し、緊張したハリスに添って器具先端部凹み部分を押し当てながら、素早く掛かり鈎のチモト部（６ａ）まで誘導する、この時、凹部及び突起部の効果で、ハリスが滑動して該糸通し溝から外れることは無く又、鈎のチモト部（６ａ）は導入口の漏斗状形状の効用により上記器具先端部の縁に引っ掛かる事も無く的確に開口部に滑り込む。【００２２】更に器具先端部を押し込むと、鈎軸は様々な角度と鈎先の向きをもって導入口（３）に挿入されるが、先端周縁部（１ｃ）に対して針先が外向きの場合は、鈎軸は其の侭挿入され顎部（６ｄ）は上記縁を滑って（矢印）凹部に引っ掛かり安定し、内向きの場合は、外ふところ部が縁部に当たり不安定となり、器具の縁部が押し込まれると同時に鈎先は外向きに回転し、顎部は縁を滑って（矢印）凹部に引っ掛かり安定する。【００２３】同時に上記開口部（１ｄ）に抜け出る鈎軸も自然に凹み方向の左右（Ｘ−Ｘ′）方向に流れ出て（Ｓｆ）、上下（ｙ−ｙ′）方向には向かないため、鈎軸は常にバイトロッド先端部に無理なく適切に挟まれる状態で設定される。【００２４】この時点で注射器を扱うように片手指操作で該バイトロッドを押し込む事によって、鈎軸は導入部の擂鉢状出口（３ｃ）と円錐状のロッド先端部位の接合面に挟まれ、器具に確り固定される状態となる。【００２５】鈎の返しが強く、魚の軟骨等に深く喰い込んでいる様な場合、強く器具を押���た時、力点Ｐ２への力は鈎が引き出される方向となり（図５）擂鉢状壁面角度の効果もあってロッドは喰い込んでより確りと鈎軸を掴む。【００２６】更に、器具を押す時は導入口先端縁部（Ｐ０）とロッド固定部（Ｐ２）の二つの力点で押すため、ペンチ以上に確り鈎軸を挟みこむ事が出来る事により、器具全体を一体の鈎棒の様な感覚で扱えるので安定操作が出来、失敗無く的確に鈎の顎部を押して抜き取り、其の侭魚の口中から取り出す事ができる。【００２７】使い方は器具先端部の糸通し溝（１ａ）にハリスを通し、注射器を持つように中指、人差し指で鍔部（４）を挟み片手親指をバイトロッド押し釦（２ｃ）に当て、器具先端周縁部（１ｃ）の凹部を、緊張したハリスに添うように押し当て乍ら魚の口中に誘導し、掛かり鈎の顎部に器具の縁が引っ掛かった感じが掴めれば、鈎軸は擂鉢状出口（１ｄ）に斜め設定されているので、その時点で前記押し釦を指で押し込んで、鈎軸を擂鉢状出口の壁面（３ｃ）と上記バイトロッドの先端部（２ａ）の接合面に咬み込むように固定させ、其の侭器具全体で魚の掛かり部から鈎先（６ｃ）を押し外し、口中から外に取り出す。（図２）【００２８】先端部外縁形状が溝外れを防止する原理を以下説明する。【００２９】鈎が糸通し溝から外れるのは鈎先が図６（１）の場合のみであり、鈎先が内向きのｇ’のように挿入時に角度が少しでもあれば、器具を押し込む時外フトコロ部に縁が当たり鈎先は回転して顎部が凹み方向に滑るので（矢印）直接溝から外れる事は無い、同様に外向きの、ｇの場合も其の侭挿入されるが、鈎の顎部が縁の山部分を滑って凹部方向に向くので溝部に廻る事は無く、更にバイトロッドで押し挟む時、鈎軸が擦り動き、鈎先が溝側方向に廻る事があるが、この時も溝の両先端部にある突起部（１ｂ）に当たるため（×印）溝部に廻る事は無く、いずれの場合も導入口外縁形状の特徴により鈎の溝外れは防止される。
【図面の簡単な説明】
【００３０】
【図１】（１）器具の基本構成を示す説明概要図、（２）展開、断面指標  （３）器具の姿図（針を固定した図）
【図２】器具と操作のイメージ図  （１）ハリスに添って魚の口中まで誘導  （２）鈎軸を固定し、器具で押し外し、口中から出す
【図３】課題についての説明図。（１）器具から引出される鈎  （２）魚の口中に残る鈎
【図４】器具断面図、外観全容図。（管径７ｍｍスケールアップ）  （１）ハリス通し、器具誘導、鈎挿入  ｘ−ｘ′  断面図  （２）ロッドを押し、鈎を挟む  ｘ−ｘ′  断面図  （３）同上  ｙ−ｙ′  断面図
【図５】バイトロッドを押して鈎を固定した状態のｘ軸，ｙ軸断面図
【図６】導入部の先端周縁部形状の効果、正面展開・断面
【符号の説明】
【００３１】１  パイプ    １ａ  糸通し溝    １ｂ  突起    １ｃ  周縁部    １ｄ  開口部
２  バイトロッド（噛ませ棒）    ２ａ  先端部    ２ｂ  止ネジ    ２ｃ  押し釦
３  導入部    ３ａ  貫通孔    ３ｂ  漏斗状入口    ３ｃ  擂鉢状出口
４  指掛け鍔
５  バネ
６  鈎    ６ａ  チモト    ６ｂ  顎    ６ｃ  針先    ６ｄ  フトコロ
７  ハリス
８  掛り部（魚）
Ｓｆ  鈎軸抜け出し方向
Ｐ０  支点力点    Ｐ０′  チモト張力    Ｐ１  掛り部力点    Ｐ２  押え部力点
ＰＲ  接触時の回転力    Ｐ  アゴ部
ｔｇ  設定時のギャップ    ｓｇ：サイドギャップ
ｆ  ハリス張力
ｇ１−ｇ１’  鈎先が内向きの場合・（３）の鈎と同じ
ｇ２−ｇ２’  鈎先が外向きの場合・（２）の鈎と同じ
【図１】
0004565206.tif 000002
【図２】
0004565206.tif 000003
【図３】
0004565206.tif 000004
【図４】
0004565206.tif 000005
【図５】
0004565206.tif 000006
【図６】
0004565206.tif 000007